(57)【要約】【課題】  簡単な構成で、搬送するシートに付着している付着物を、より効果的に除去すると共に、形成画像や読取画像の画像品質、搬送品質、又は、被記録媒体の後処理等を長期に渡って低下させることなく、折れ等や薄い、又は、腰の弱いシート材でも搬送不良の発生を防止する低コストのシート搬送装置、画像形成装置、原稿画像読取装置、並びに、被記録媒体後処理装置を提供する。【解決手段】  搬送するシートを案内して搬送するシート案内搬送手段１の中間に形成した開口部２と、開口部２の上流側と下流側に配置して搬送するシートに変形部を形成して搬送するシート搬送手段３と、シート搬送手段３で搬送されるシートの有無を検知するシート検知手段４と、シート検知手段４のシート検知情報により搬送されるシートの変形部が接触して付着物（Ｘ）を除去する付着物除去手段５とからなる。【選択図】        図１
2006168837.tif 000002
【特許請求の範囲】
【請求項１】
シートを案内して搬送するシート案内搬送手段と、上記シート案内搬送手段の中間に形成した開口部と、上記開口部の上流側と下流側に夫々配置されてシートに変形部を形成しつつ搬送するシート搬送手段と、上記シート搬送手段で搬送されるシートの有無を検知するシート検知手段と、上記シート検知手段のシート検知情報に基づいて上記各シート搬送手段を制御する制御手段と、搬送されるシートの変形部に接触して付着物を除去する付着物除去手段と、からなることを特徴とするシート搬送装置。
【請求項２】
請求項１に記載のシート搬送装置において、上記シート案内搬送手段は、搬送するシートの上側を案内する上側シートガイドと、搬送するシートの下側を案内する下側シートガイドとからなることを特徴とするシート搬送装置。
【請求項３】
請求項１又は２に記載のシート搬送装置において、上記シート案内搬送手段は、上記開口部を形成する曲げ部を備えることを特徴とするシート搬送装置。
【請求項４】
請求項１、２又は３に記載のシート搬送装置において、上記下側シートガイドは、上記開口部を通過するシートを上向き方向に搬送するシート上向きガイド部を備えていることを特徴とするシート搬送装置。
【請求項５】
請求項１、２、３又は４に記載のシート搬送装置において、上記下側シートガイド部は、上記開口部を通過するシートから付着物除去手段で除去されて落ちる付着物を案内する付着物ガイド部を備えることを特徴とするシート搬送装置。
【請求項６】
請求項１、２、３、４又は５に記載のシート搬送装置において、上記開口部は、上記上側シートガイドに形成した上側開口部と、上記下側シートガイドに形成した下側開口部とからなることを特徴とするシート搬送装置。
【請求項７】
請求項１、２、３、４、５又は６に記載のシート搬送装置において、上記開口部は、搬送するシート面と直交する方向に設けると共に、上記開口部の幅は、搬送可能なシートの最大幅よりも大きいことを特徴とするシート搬送装置。
【請求項８】
請求項１、２、３、４、５、６又は７に記載のシート搬送装置において、上記シート搬送手段は、上記開口部の上流側に回転可能に保持されてシートを搬送する上流側シート搬送ローラと、開口部の下流側に回転可能に保持されてシートを搬送する下流側シート搬送ローラとからなり、それぞれの回転速度を可変にして、上記開口部内に搬送するシートの変形部を形成することを特徴とするシート搬送装置。
【請求項９】
請求項１、２、３、４、５、６、７又は８に記載のシート搬送装置において、上記シート検知手段は、上記下流側シート搬送ローラを通過するシートの先端を検知することを特徴とするシート搬送装置。
【請求項１０】
請求項１、２、３、４、５、６、７、８又は９に記載のシート搬送装置において、上記付着物除去手段は、上記開口部に近接する位置で上記上側シートガイド、又は、下側シートガイドから離れた位置に配置された弾性部材からなることを特徴とするシート搬送装置。
【請求項１１】
請求項１、２、３、４、５、６、７、８、９又は１０に記載のシート搬送装置において、上記付着物除去手段の幅は、搬送可能なシートの最大幅よりも大きいことを特徴とするシート搬送装置。
【請求項１２】
請求項１乃至１１の何れか一項に記載のシート搬送装置において、上記付着物除去手段は、上記上側シートガイド、又は、下側シートガイドに保持されていることを特徴とするシート搬送装置。
【請求項１３】
請求項１乃至１２の何れか一項に記載のシート搬送装置において、上記付着物除去手段は、導電性材料からなることを特徴とするシート搬送装置。
【請求項１４】
請求項１乃至１２の何れか一項に記載のシート搬送装置において、上記付着物除去手段には、帯電防止の処理がなされていることを特徴とするシート搬送装置。
【請求項１５】
請求項１乃至１２の何れか一項に記載のシート搬送装置において、上記付着物除去手段は、帯電防止材料からなることを特徴とするシート搬送装置。
【請求項１６】
請求項１乃至１５の何れか一項に記載のシート搬送装置において、上記下側開口部を通過するシートから除去されて落ちる付着物を回収する付着物収容部を備えることを特徴とするシート搬送装置。
【請求項１７】
請求項１６に記載のシート搬送装置において、上記付着物収容部は、回収する付着物を収容する着脱可能な付着物収容器からなることを特徴とするシート搬送装置。
【請求項１８】
被記録媒体のシート材を案内部材で案内して記録画像を形成する画像形成装置において、被記録媒体のシートに記録画像を形成する画像形成部と、上記画像形成部で記録画像を形成する被記録媒体のシートを案内部材で案内して搬送する上記請求項１乃至１７の何れか一項に記載のシート搬送装置とからなることを特徴とする画像形成装置。
【請求項１９】
請求項１８に記載の画像形成装置において、上記画像形成部は、電子写真方法の作像プロセスで被記録媒体のシート上にトナー像を形成することを特徴とする画像形成装置。
【請求項２０】
原稿を載置する原稿載置手段と、上記原稿載置手段に載置された原稿束を一枚毎に分離する原稿分離手段と、上記原稿分離手段で一枚毎に分離された原稿の原稿画像を読み取る原稿画像読取部に搬送する原稿を案内部材で案内して搬送する上記請求項１乃至１７の何れか一項に記載のシート搬送装置と、上記シート搬送装置で上記原稿画像読取部に搬送される原稿の原稿画像を読み取る原稿画像読取手段とからなることを特徴とする原稿画像読取装置。
【請求項２１】
記録画像の形成を受けた被記録媒体のシートを導入する導入口と、上記導入口から導入した被記録媒体に後処理を行う後処理手段と、上記後処理手段で記録画像を形成した後に後処理を行う被記録媒体を案内部材で案内して搬送する上記請求項１乃至１７の何れか一項に記載のシート搬送装置とからなることを特徴とする被記録媒体後処理装置。
【発明の詳細な説明】
【技術分野】
【０００１】
本発明は、シート材を案内部材で案内して搬送するシート搬送装置、そのシート搬送装置を具備する印刷装置や電子写真式の複写機、ファクシミリ装置、プリンタ、あるいは、これ等の複合機等の画像形成装置、原稿を案内部材で案内して原稿画像を読み取る原稿画像読取装置、並びに、記録画像を形成した後の被記録媒体のシート材の後処理を行う被記録媒体後処理装置に関する。
【背景技術】
【０００２】
シート搬送装置は、シート材を搬送ガイドで案内しながら、例えば、画像形成装置の画像形成部に搬送して、トナーの記録画像をシート材に転写、定着して、画像形成装置本体外に搬出してトレイ上にストックしている。
ところが、近年、省資源や経費節減の目的から、使用済みシート材の裏面を用いたり、リサイクルシートを利用することが多くなり、長期間、画像形成装置を使用していると、シート材の搬送途中で紙粉を発生して、その紙粉が搬送ガイド上に堆積することが多くなっていた。
特に、搬送ガイドに湾曲部がある場合に、その湾曲部によりシート材が搬送ガイドに突き当たったり、曲がったり、擦れたりするので、シート材の端面の切断面や表面に付着していた紙粉が落下して、特に、前述の湾曲部等に堆積していた。
このように、搬送ガイド上に、紙粉が堆積すると、搬送中のシート材に、再び、紙粉が付着し、それにより搬送ローラの摩擦係数が低下し、シート材の搬送に狂いが生じる原因にもなっていた。
又、その堆積した紙粉が、再び、搬送中のシート材に付着して、例えば、画像形成部に入り込むと、像担持体の感光体等に付着したりして、その付着した紙粉をクリーニング装置で完全に除去できないときには、例えば、形成したトナーの記録画像等に黒スジや白スジが発生し、又は、白斑点や黒斑点が発生する等の異常画像が発生していた。
そのため、ローラ対とガイド板対とにより紙葉搬送路を形成した紙葉搬送装置において、ガイド板対の少なくとも下側ガイド板に複数の紙粉落下用穴を形成し、紙粉を紙粉落下用穴から落下させるようにして、ガイド板上での紙粉の堆積をなくし、紙粉に伴う不都合を回避するようにすることは公知である（特許文献１を参照）。
然し、搬送中に紙粉落下用の穴から脱落する紙粉は除去することができるけれども、シート材から落ち切らないまま付着した紙粉等の除去はできず、その後の搬送路中で落下、及び、堆積する場合があり、それにより画像形成装置内を汚染してしまい、スキューやスリップ率の増加により搬送性能の低下が発生したり、画像形成装置の場合には、像担持体に付着することや、クリーニング装置で除去しきれない場合には、画像上に黒スジや白スジが発生し、又は、白斑点や黒斑点が発生する等の異常画像が発生していた。
【０００３】
更に、シート材を下搬送ガイドで案内して搬送するシート搬送装置において、下搬送ガイドに開口部を設け、その開口部の下流側に、ブラシ状部材、又は、回転制御されたブラシ状部材を設け、シート材の表面に付着している紙粉を払い落とすようにして、簡単、且つ、低コストの構成で、シート材に付着している紙粉を効果的に払い落とすことが可能であり、画像品質や搬送品質を長期に渡って低下させないようにすることができるシート搬送装置も同一出願人から提案されている。
然し、これらは、シート材の搬送経路にブラシ状部材が突き出しているために、薄い、又は、腰の弱いシート材の搬送の際には、折れ、捲れ、不送り等の搬送不良が発生したり、ブラシ状部材を回転制御する専用の回転駆動源のモータや制御基板、シート検知手段等が必要となり、コスト高にもなっていた。
従って、従来のシート搬送装置、及び、そのシート搬送装置を具備する画像形成装置、原稿画像読取装置、並びに、被記録媒体後処理装置においては、搬送中に紙粉落下用の穴から脱落する紙粉は除去することができるけれども、シート材から落ち切らないまま付着した紙粉等の除去はできず、その後の搬送路中で落下、及び、堆積する場合があり、それにより装置内を汚染してしまい、スキューやスリップ率の増加により搬送不良が発生する。画像形成装置おいて、紙粉等の付着物が像担持体の感光体等に付着することを防止できない場合や、クリーニング装置で除去しきれない場合には、形成画像上や読取画像上に黒スジや白スジが発生し、又は、白斑点や黒斑点が発生する等の異常画像や誤処理が発生したり、薄い、又は、腰の弱いシート材の搬送の際には、折れ、捲れ、不送り等の搬送不良も発生したり、ブラシ状部材を回転制御する専用の回転駆動源のモータや制御基板、シート検知手段等が必要となり、コスト高になると言う不具合が生じていた。
【特許文献１】特開平７−２１５５２３号
【発明の開示】
【発明が解決しようとする課題】
【０００４】
そこで本発明の課題は、このような問題点を解決するものである。即ち、簡単な構成で、搬送するシートに付着している紙粉等の付着物を、より効果的に除去すると共に、画像形成装置等の形成画像や読取画像の画像品質、搬送品質、又は、被記録媒体の後処理等を長期に渡って低下させることなく、折れ等や薄い、又は、腰の弱いシート材でも搬送不良の発生を防止する低コストのシート搬送装置、及び、そのシート搬送装置を具備する画像形成装置、原稿画像読取装置、並びに、被記録媒体後処理装置を提供することを目的とする。
【課題を解決するための手段】
【０００５】
上記目的を達成するために、請求項１に記載の本発明は、シート材を案内部材で案内して搬送するシート搬送装置において、搬送するシートを案内して搬送するシート案内搬送手段と、上記シート案内搬送手段の中間に形成した開口部と、上記開口部の上流側と下流側に配置して搬送するシートに変形部を形成して搬送するシート搬送手段と、上記シート搬送手段で搬送されるシートの有無を検知するシート検知手段と、上記シート検知手段のシート検知情報により搬送されるシートの変形部が接触して付着物を除去する付着物除去手段とからなるシート搬送装置であることを最も主要な特徴とする。
又は、請求項２に記載の本発明は、請求項１に記載のシート搬送装置において、シート案内搬送手段は、搬送するシートの上側を案内する上側シートガイドと、搬送するシートの下側を案内する下側シートガイドとからなるシート搬送装置であることを主要な特徴とする。
又は、請求項３に記載の本発明は、請求項１又は２に記載のシート搬送装置において、シート案内搬送手段は、開口部を形成する曲げ部とからなるシート搬送装置であることを主要な特徴とする。
又は、請求項４に記載の本発明は、請求項１、２又は３に記載のシート搬送装置において、シート案内搬送手段は、開口部を通過するシートを上向き方向に搬送するシート上向けガイ部とからなるシート搬送装置であることを主要な特徴とする。
又は、請求項５に記載の本発明は、請求項１、２、３又は４に記載のシート搬送装置において、シート案内搬送手段は、開口部を通過するシートから付着物除去手段で除去されて落ちる付着物を案内する付着物ガイド部とからなるシート搬送装置であることを主要な特徴とする。
【０００６】
又は、請求項６に記載の本発明は、請求項１、２、３、４又は５に記載のシート搬送装置において、開口部は、上側シートガイドに形成した上側開口部と、下側シートガイドに形成した下側開口部とからなるシート搬送装置であることを主要な特徴とする。
又は、請求項７に記載の本発明は、請求項１、２、３、４、５又は６に記載のシート搬送装置において、開口部は、搬送するシートの搬送方向と直交する方向に設けると共に、上記開口部の幅は、搬送可能なシートの最大幅よりも大きいシート搬送装置であることを主要な特徴とする。
又は、請求項８に記載の本発明は、請求項１、２、３、４、５、６又は７に記載のシート搬送装置において、シート搬送手段は、開口部の上流側に回転可能に保持されて搬送するシートを搬送する上流側シート搬送ローラと、開口部の下流側に回転可能に保持されて搬送するシートを搬送する下流側シート搬送ローラとからなり、それぞれの回転速度を可変にして、上記開口部内に搬送するシートの変形部を形成するシート搬送装置であることを主要な特徴とする。
又は、請求項９に記載の本発明は、請求項１、２、３、４、５、６、７又は８に記載のシート搬送装置において、シート検知手段は、上流側シート搬送ローラを通過して開口部を下流側シート搬送ローラの搬送方向に通過するシートの先端を検知するシート搬送装置であることを主要な特徴とする。
又は、請求項１０に記載の本発明は、請求項１、２、３、４、５、６、７、８又は９に記載のシート搬送装置において、付着物除去手段は、開口部に近接する位置でシート案内搬送手段の上側シートガイド、又は、下側シートガイドから離れた位置に配置された弾性部材からなるシート搬送装置であることを主要な特徴とする。
【０００７】
又は、請求項１１に記載の本発明は、請求項１、２、３、４、５、６、７、８、９又は１０に記載のシート搬送装置において、付着物除去手段の幅は、搬送可能なシートの最大幅よりも大きいシート搬送装置であることを主要な特徴とする。
又は、請求項１２に記載の本発明は、請求項１乃至１１の何れか一項に記載のシート搬送装置において、付着物除去手段は、シート案内搬送手段の上側シートガイド、又は、下側シートガイドに保持されているシート搬送装置であることを主要な特徴とする。
又は、請求項１３に記載の本発明は、請求項１乃至１２の何れか一項に記載のシート搬送装置において、付着物除去手段は、導電性材料からなるシート搬送装置であることを主要な特徴とする。
又は、請求項１４に記載の本発明は、請求項１乃至１２の何れか一項に記載のシート搬送装置において、付着物除去手段は、帯電防止の処理がなされているシート搬送装置であることを主要な特徴とする。
又は、請求項１５に記載の本発明は、請求項１乃至１２の何れか一項に記載のシート搬送装置において、付着物除去手段は、帯電防止材料からなるシート搬送装置であることを主要な特徴とする。
又は、請求項１６に記載の本発明は、請求項１乃至１５の何れか一項に記載のシート搬送装置において、付着物除去手段は、開口部を通過するシートから除去されて落ちる付着物を回収する付着物収容部とからなるシート搬送装置であることを主要な特徴とする。
又は、請求項１７に記載の本発明は、請求項１６に記載のシート搬送装置において、付着物収容部は、回収する付着物を収容して着脱可能な付着物収容器とからなるシート搬送装置であることを主要な特徴とする。
【０００８】
又は、請求項１８に記載の本発明は、被記録媒体のシート材を案内部材で案内して記録画像を形成する画像形成装置において、被記録媒体のシートに記録画像を形成する画像形成部と、上記画像形成部で記録画像を形成する被記録媒体のシートを案内部材で案内して搬送する上記請求項１乃至１７の何れか一項に記載のシート搬送装置とからなる画像形成装置であることを最も主要な特徴とする。
又は、請求項１９に記載の本発明は、請求項１８に記載の画像形成装置において、画像形成部は、電子写真方法の作像プロセスで被記録媒体のシート上にトナーの記録画像を形成する画像形成装置であることを主要な特徴とする。
又は、請求項２０に記載の本発明は、原稿のシート材を案内部材で案内して原稿画像を読み取る原稿画像読取装置において、原稿のシートを載置する原稿載置手段と、上記原稿載置手段に載置された原稿束のシートを一枚毎に分離する原稿分離手段と、上記原稿分離手段で一枚毎に分離された原稿のシートの原稿画像を読み取る原稿画像読取部に搬送する原稿のシートを案内部材で案内して搬送する上記請求項１乃至１７の何れか一項に記載のシート搬送装置と、上記シート搬送装置で上記原稿画像読取部に搬送される原稿のシートの原稿画像を読み取る原稿画像読取手段とからなる原稿画像読取装置であることを最も主要な特徴とする。
又は、請求項２１に記載の本発明は、記録画像を形成した後の被記録媒体のシート材の後処理を行う被記録媒体後処理装置において、記録画像を形成した後に後処理を行う被記録媒体のシートを導入する導入口と、上記導入口から導入した被記録媒体のシートに後処理を行う後処理手段と、上記後処理手段で記録画像を形成した後に後処理を行う被記録媒体のシートを案内部材で案内して搬送する上記請求項１乃至１７の何れか一項に記載のシート搬送装置とからなる被記録媒体後処理装置であることを最も主要な特徴とする。
【発明の効果】
【０００９】
本発明は、以下に説明するように構成されているので、請求項１の発明によれば、簡単な構成で、搬送するシートに付着している紙粉等の付着物を、より効果的に除去すると共に、搬送品質を長期に渡って低下させることなく、折れ等や薄い、又は、腰の弱いシート材でも搬送不良の発生を防止する低コストのシート搬送装置を提供することができるようになった。
請求項２の発明によれば、簡単な構成で、搬送するシートに付着している紙粉等の付着物を、より効果的に除去すると共に、搬送するシートを上下側を案内して確実に搬送経路を搬送して、搬送品質を長期に渡って低下させることなく、折れ等や薄い、又は、腰の弱いシート材でも搬送不良の発生を防止する低コストのシート搬送装置を提供することができるようになった。
請求項３の発明によれば、開口部が簡単に形成される、簡単な構成で、搬送するシートに付着している紙粉等の付着物を、より効果的に除去すると共に、搬送品質を長期に渡って低下させることなく、折れ等や薄い、又は、腰の弱いシート材でも搬送不良の発生を防止する低コストのシート搬送装置を提供することができるようになった。
請求項４の発明によれば、簡単な構成で、搬送するシートに付着している紙粉等の付着物を、より効果的に除去すると共に、搬送品質を長期に渡って低下させることなく、開口部を通過するシートを上向き方向に搬送して通過するシートの折れ等や薄い、又は、腰の弱いシート材でも搬送不良の発生を防止する低コストのシート搬送装置を提供することができるようになった。
請求項５の発明によれば、簡単な構成で、搬送するシートに付着している紙粉等の付着物を、より効果的に除去して回収する付着物収容部に案内すると共に、搬送品質を長期に渡って低下させることなく、折れ等や薄い、又は、腰の弱いシート材でも搬送不良の発生を防止する低コストのシート搬送装置を提供することができるようになった。
【００１０】
請求項６の発明によれば、搬送するシートの上下側に開口部を形成する簡単な構成で、搬送するシートに付着している紙粉等の付着物を、より効果的に除去すると共に、搬送品質を長期に渡って低下させることなく、折れ等や薄い、又は、腰の弱いシート材でも搬送不良の発生を防止する低コストのシート搬送装置を提供することができるようになった。
請求項７の発明によれば、簡単な構成で、開口部を搬送する全てのシートに付着している紙粉等の付着物を、より効果的に除去すると共に、搬送品質を長期に渡って低下させることなく、折れ等や薄い、又は、腰の弱いシート材でも搬送不良の発生を防止する低コストのシート搬送装置を提供することができるようになった。
請求項８の発明によれば、開口部内に搬送するシートの変形部を形成する簡単な構成で、搬送するシートに付着している紙粉等の付着物を、より効果的に除去すると共に、搬送品質を長期に渡って低下させることなく、折れ等や薄い、又は、腰の弱いシート材でも搬送不良の発生を防止する低コストのシート搬送装置を提供することができるようになった。
請求項９の発明によれば、簡単な構成で、搬送するシートに付着している紙粉等の付着物を、シートの先端が下流側シート搬送ローラに到達したタイミングでより効果的に除去すると共に、搬送品質を長期に渡って低下させることなく、折れ等や薄い、又は、腰の弱いシート材でも搬送不良の発生を防止する低コストのシート搬送装置を提供することができるようになった。
請求項１０の発明によれば、簡単な構成で、搬送するシートに付着している紙粉等の付着物を、積極的に掻き取り、より効果的に除去すると共に、搬送品質を長期に渡って低下させることなく、折れ等や薄い、又は、腰の弱いシート材でも搬送不良の発生を防止する低コストのシート搬送装置を提供することができるようになった。
請求項１１の発明によれば、簡単な構成で、付着物除去手段を搬送する全てのシートに付着している紙粉等の付着物を、より効果的に除去すると共に、搬送品質を長期に渡って低下させることなく、折れ等や薄い、又は、腰の弱いシート材でも搬送不良の発生を防止する低コストのシート搬送装置を提供することができるようになった。
【００１１】
請求項１２の発明によれば、兼用する簡単な構成で、搬送するシートに付着している紙粉等の付着物を、より効果的に除去すると共に、搬送品質を長期に渡って低下させることなく、折れ等や薄い、又は、腰の弱いシート材でも搬送不良の発生を防止する、更に、低コストのシート搬送装置を提供することができるようになった。
請求項１３の発明によれば、兼用する簡単な構成で、搬送するシートに付着している紙粉等の付着物を、搬送するシート表面の静電気を除電して、より確実に効果的に除去すると共に、搬送品質を長期に渡って低下させることなく、折れ等や薄い、又は、腰の弱いシート材でも搬送不良の発生を防止する、更に、低コストのシート搬送装置を提供することができるようになった。
請求項１４の発明によれば、簡単な構成で、搬送するシートに付着している紙粉等の付着物を、付着物除去手段の弾性部材が帯電防止の処理がなされて付着物除去性能を保持してより効果的に除去すると共に、搬送品質を長期に渡って低下させることなく、折れ等や薄い、又は、腰の弱いシート材でも搬送不良の発生を防止する低コストのシート搬送装置を提供することができるようになった。
請求項１５の発明によれば、簡単な構成で、搬送するシートに付着している紙粉等の付着物を、付着物除去手段の弾性部材が帯電防止材料で付着物除去性能を保持してより効果的に除去すると共に、搬送品質を長期に渡って低下させることなく、折れ等や薄い、又は、腰の弱いシート材でも搬送不良の発生を防止する低コストのシート搬送装置を提供することができるようになった。
請求項１６の発明によれば、簡単な構成で、搬送するシートに付着している紙粉等の付着物を、より効果的に除去して装置内で飛散して装置内の汚染を防止すると共に、搬送品質を長期に渡って低下させることなく、折れ等や薄い、又は、腰の弱いシート材でも搬送不良の発生を防止する低コストのシート搬送装置を提供することができるようになった。
【００１２】
請求項１７の発明によれば、簡単な構成で、搬送するシートに付着している紙粉等の付着物を、より効果的に除去して装置内で飛散して装置内の汚染を防止すると共に、搬送品質を長期に渡って更に、効率良く低下させることなく、折れ等や薄い、又は、腰の弱いシート材でも搬送不良の発生を防止する低コストのシート搬送装置を提供することができるようになった。
請求項１８の発明によれば、簡単な構成で、搬送する被記録媒体のシートに付着している紙粉等の付着物を、より効果的に除去すると共に、形成画像の画像品質と搬送品質を長期に渡って低下させることなく、折れ等や薄い、又は、腰の弱いシート材でも搬送不良の発生を防止する低コストで画像を形成するシート搬送装置を具備する画像形成装置を提供することができるようになった。
請求項１９の発明によれば、簡単な構成で、搬送する被記録媒体のシートに付着している紙粉等の付着物を、より効果的に除去すると共に、トナーの記録画像の形成画像の画像品質と搬送品質を長期に渡って低下させることなく、折れ等や薄い、又は、腰の弱いシート材でも搬送不良の発生を防止する低コストで高速で高品質の形成画像を形成するシート搬送装置を具備する画像形成装置を提供することができるようになった。
請求項２０の発明によれば、簡単な構成で、搬送する原稿のシートに付着している紙粉等の付着物を、より効果的に除去すると共に、読取画像の画像品質、搬送品質を長期に渡って低下させることなく、折れ等や薄い、又は、腰の弱いシート材でも搬送不良の発生を防止する低コストのシート搬送装置を具備する原稿画像読取装置を提供することができるようになった。
請求項２１の発明によれば、簡単な構成で、搬送する被記録媒体のシートに付着している紙粉等の付着物を、より効果的に除去すると共に、搬送品質と搬送する被記録媒体のシートの後処理を長期に渡って低下させることなく、折れ等や薄い、又は、腰の弱いシート材でも搬送不良の発生を防止する低コストのシート搬送装置を具備する被記録媒体後処理装置を提供することができるようになった。
【発明を実施するための最良の形態】
【００１３】
次に、本発明の実施の形態は、図面を参照して詳細に説明する。
図１、図２は本発明のシート搬送装置の要部正面図、図３は要部斜視図である。各図において、シート材を案内部材で案内して搬送するシート搬送装置０は、搬送するシート（Ｐ）を案内して搬送するシート案内搬送手段１と、シート案内搬送手段１の中間に形成した開口部２と、開口部２の上流側と下流側に配置して搬送するシート（Ｐ）に変形部を形成して搬送するシート搬送手段３と、シート搬送手段３で搬送されるシート（Ｐ）の有無を検知するシート検知手段４と、シート検知手段４のシート検知情報により搬送されるシート（Ｐ）の変形部が接触して付着物（Ｘ）を除去する付着物除去手段５とからなり、簡単な構成で、搬送するシート（Ｐ）に付着している紙粉等の付着物（Ｘ）を、より効果的に除去すると共に、搬送品質を長期に渡って低下させることなく、薄い、又は、腰の弱いシート（Ｐ）でも搬送不良の発生を防止して低コストである。
シート案内搬送手段１は、搬送するシート（Ｐ）の上側を案内する板状の上側シートガイド１ａと、搬送するシート（Ｐ）の下側を案内する板状の下側シートガイド１ｂとからなり、搬送するシート（Ｐ）の上下両側を案内して確実に搬送経路を搬送する。
上側シートガイド１ａと下側シートガイド１ｂには、シート（Ｐ）の搬送方向（Ａ）と直交する方向に開口した開口部２を有している。
開口部２は、上側シートガイド１ａの適所に切り込みを形成してから切り込みの両サイドを上向きに曲げた曲げ部１ｃにより形成した上側開口部２ａと、下側シートガイド１ｂにシート上向けガイ部１ｄと付着物ガイド部１ｅで形成した下側開口部２ｂとからなり、搬送するシートの上下側に搬送されるシートの変形部が形成され、開口部２を通過するシートを上向き方向に搬送して通過するシートの折れ等の搬送不良の発生を防止すると共に、開口部２を通過するシートから付着物除去手段５で除去されて落ちる付着物（Ｘ）を回収する付着物収容部に案内して、シートを搬送経路に搬送するようになっている。
【００１４】
開口部２の上側開口部２ａと下側開口部２ｂのシート（Ｐ）の搬送方向（Ａ）の上流側と下流側に、シート搬送手段３の上流側の回転可能に保持されて搬送するシートを搬送する上流側シート搬送ローラ３ａのローラ対と下流側の回転可能に保持されて搬送するシートを搬送する下流側シート搬送ローラ３ｂのローラ対が設けてあり、それぞれの回転速度を可変にして、開口部２内に搬送するシートの変形部を形成するようになっている。
上流側シート搬送ローラ３ａのローラ対と下流側シート搬送ローラ３ｂのローラ対の間に、シート検知手段４を配置して、上流側シート搬送ローラ３ａのローラ対を通過して開口部２を下流側シート搬送ローラ３ｂのローラ対の搬送方向（Ａ）に通過するシートの先端を検知するようになっている。
上流側シート搬送ローラ３ａのローラ対と下流側シート搬送ローラ３ｂのローラ対は、それぞれ独立して駆動の連結と解除のできる、図示しない回転駆動力連結手段を備えている。
付着物除去手段５は、上側開口部２ａ、又は、下側開口部２ｂに近接する位置で、上側シートガイド１ａ、又は、下側シートガイド１ｂから離れた位置に配置された弾性部材５ａ（板バネ状の弾性シート等）からなり、簡単な構成で搬送するシートに付着している紙粉等の付着物（Ｘ）を、より効果的に除去するようになっている。
付着物除去手段５の弾性部材５ａは、上側シートガイド１ａ、又は、下側シートガイド１ｂに保持されているから、兼用する簡単な構成で、更に、低コストである。
【００１５】
搬送するシートが上流側シート搬送ローラ３ａのローラ対で、搬送方向（Ａ）に搬送されて、シート検知手段４で先端を検知され、そのシート検知情報に基づいて、シートの先端が下流側シート搬送ローラ３ｂに到達したタイミングで、下流側シート搬送ローラ３ｂの回転を一瞬、停止するようになっている。シート検知手段４の検知情報は図示しない制御手段に入力され、制御手段はこの情報に基づいて各搬送ローラの駆動を制御する。
この時、上流側シート搬送ローラ３ａと下流側シート搬送ローラ３ｂとの間で、図示の矢印（Ｂ）方向の上向き方向にシートを弛ませて、図示のような変形部を形成して、シートの変形部が弾性部材５ａに接触するようになっている（図２を参照）。
そして、上流側シート搬送ローラ３ａと下流側シート搬送ローラ３ｂを同じ速度で回転させて、このシートの変形部が弾性部材５ａに接触する状態を保持したままでシートの搬送を継続する。
これにより、付着物除去手段５の弾性部材５ａは、シートの表面に付着している紙粉等の付着物（Ｘ）を積極的に掻き取り、より効果的に除去するようになっている。
従って、シート案内搬送手段１に開口部２を設け、シート検知手段４のシート検知情報に基づいて、開口部２の上流側と下流側に位置する上流側シート搬送ローラ３ａと下流側シート搬送ローラ３ｂの回転速度を可変調整して、搬送方向（Ａ）に搬送しているシートを変形部で変形させて、シートと弾性部材５ａの距離を調整するので、シートの先端と弾性部材５ａが接触することなく、搬送中からシートと弾性部材５ａが接触して、シートに付着している紙粉等の付着物（Ｘ）を、積極的に掻き取り、効果的に払い落として除去するから、どのようなシート、例えば、腰の弱いシート、カール癖のあるシート等に対しても搬送不良を発生させることなく、搬送品質の低下等を、低コストで長期間に渡り防止することができる。
【００１６】
開口部２は、搬送するシートの搬送方向（Ａ）（シートの上下面）と直交する方向に設けると共に、開口部２の幅（Ｌａ）は、搬送可能なシートの最大幅（Ｌｐ）よりも大きくなっている（図３を参照）。
同様に、弾性部材５ａの幅（Ｌｂ）も、搬送可能なシートの最大幅（Ｌｐ）よりも大きくなっている（図３を参照）。
従って、シート案内搬送手段１に設けた開口部２を、搬送するシートの搬送方向（Ａ）と直交する方向に設けると共に、開口部２の幅（Ｌａ）と、開口部２の近接する位置で、シート案内搬送手段１から離れる位置に有る弾性部材５ａの幅（Ｌｂ）とを、それぞれ搬送可能なシートの最大幅（Ｌｐ）よりも大きくしているので、シート案内搬送手段１の搬送経路を搬送される全てのシートに対して、シートに付着している紙粉等の付着物（Ｘ）を、より確実に効果的に払い落として除去することができて、低コストで、長期間に渡って、搬送性能の低下を、更に、効率良く防止するシート搬送装置０を提供することができるようになった。
シート案内搬送手段１に設けた開口部２と近接する位置で、シート案内搬送手段１から離間した位置に有る弾性部材５ａが、導電性材料からなり、図示しない装置本体のアースに電気的に接続されている。
従って、搬送するシートの搬送方向（Ａ）に搬送中に発生するシート表面の静電気を除電することで、搬送性を良好に保持することができて、且つ、シート上に付着している紙粉等の付着物（Ｘ）を、より確実に効果的に払い落として除去することができるので、１部品で２つの役目を果たす兼用する簡単な構成なので、更に、低コストのシート搬送装置０を提供することができるようになった。
シート案内搬送手段１に設けた開口部２に近接する位置で、シート案内搬送手段１から離れる位置に有る弾性部材５ａが、帯電防止の処理がなされている、又は、帯電防止材料からなる。
従って、弾性部材５ａが、長期間に渡って、搬送方向（Ａ）に搬送するシートに付着している紙粉等の付着物（Ｘ）を、より効果的に除去する、付着物除去性能を保持するシート搬送装置０を提供することができるようになった。
【００１７】
図４において、弾性部材５ａが、開口部２を搬送方向（Ａ）に通過するシートから除去されて落下する紙粉等の付着物（Ｘ）を、付着物収容部６で回収するようになっている。
そして、付着物収容部６は、除去されて落下する紙粉等の付着物（Ｘ）を収容する付着物収容器６ａからなり、除去されて落下する紙粉等の付着物（Ｘ）を効率良く処理するために、清掃しやすいように、付着物収容器６ａを装置本体から、単独で、簡単に、引き出すことができるように、着脱可能になっている。
従って、弾性部材５ａに近接して、飛散する紙粉等の付着物（Ｘ）を回収する付着物収容部６と付着物収容器６ａを設けているので、弾性部材５ａがシートの変形部と接触して、搬送方向（Ａ）に搬送するシートから掻き取った紙粉等の付着物（Ｘ）が、装置内で飛散して装置内の汚染を防止して、長期に渡って、搬送性能の低下を、更に、効率良く防止するシート搬送装置０を提供することができるようになった。
図５と図６において、被記録媒体のシート材を案内部材で案内して記録画像を形成する画像形成装置１０は、被記録媒体のシートに記録画像を形成する画像形成部１１と、画像形成部１１で記録画像を形成する被記録媒体のシートを案内部材で案内して搬送する請求項１乃至１７の何れか一項に記載のシート搬送装置０とからなり、簡単な構成で、搬送する被記録媒体のシートに付着している紙粉等の付着物（Ｘ）を、より効果的に除去すると共に、形成画像の画像品質、又は、搬送品質を長期に渡って低下させることなく、折れ等や薄い、又は、腰の弱いシートでも搬送不良の発生を防止して低コストである。
画像形成部１１は、電子写真方法の帯電、書き込み、現像、転写、クリーニング等の作像プロセスで被記録媒体のシート上に高速で高品質のトナーの記録画像を形成する。
画像形成装置１０の複写機は、画像形成部１１の上部には、原稿のシートの原稿画像を読み取る原稿画像読取装置２０が配置されている。
他方、画像形成部１１の下部には、画像形成部１１を載置して被記録媒体のシートの記録用紙を供給する被記録媒体供給装置１２が配置されている。
他方、画像形成部１１の右側には、画像形成部１１に被記録媒体のシートの記録用紙を大量に供給する大量被記録媒体供給装置１３が配置されている。
更に、画像形成部１１の左側には、画像形成部１１でトナーの記録画像が形成された被記録媒体のシートの記録用紙の後処理を行う被記録媒体後処理装置３０が配置されている。
【００１８】
画像形成部１１では、原稿画像読取装置２０で読み取る原稿のシートの原稿画像の画像データで、トナーの記録画像を形成する電子写真方法による、画像書き込み手段１１ｃのレーザーダイオードを発光させることにより、帯電器１１ｂで均一に帯電された像担持体１１ａのドラム形状の感光体ドラム上に静電潜像を形成する。
画像書き込み手段１１ｃのレーザーダイオードを発光させて形成した静電潜像を現像器１１ｄで顕像化してトナーの記録画像を形成する。
現像器５１ｄで顕像化したトナーの記録画像は、転写器１１ｅで、被記録媒体供給装置１２、又は、大量被記録媒体供給装置１３から請求項１乃至１７の何れか一項に記載のシート搬送装置０から搬送されて来る被記録媒体のシートの記録用紙に転写して記録される。
大量被記録媒体供給装置１３から給紙される被記録媒体のシートの記録用紙を、レジストローラ１１ｆへと導き、案内して搬送するシート搬送装置０では、シート案内搬送手段１の上側シートガイド１ａと下側シートガイド１ｂとで搬送路を形成している。
シート案内搬送手段１の上側シートガイド１ａと下側シートガイド１ｂは、画像形成部１１内に対向して配置され、図示しない側板で両側を支持するようになっている。
転写器１１ｅで被記録媒体のシートの記録用紙に転写して記録されたトナーの記録画像は、定着器１１ｇにて加熱と加圧後に、被記録媒体のシートの記録用紙は排紙ローラ１１ｈによって被記録体後処理装置３０の導入口３１に搬入されて、所定の後処理が行われるようになっている。
他方、像担持体１１ａのドラム形状の感光体ドラムは、被記録媒体のシートの記録用紙にトナーの記録画像を転写して記録した後に、像担持体１１ａのドラム形状の感光体ドラム上に付着した残留トナーを、クリーニング部材１１ｉによって掻き落とされてクリーニングされて、次工程の画像形成に備えるようになっている。
従って、簡単な構成で、搬送する被記録媒体のシートの記録用紙に付着している紙粉等の付着物（Ｘ）を、より効果的に除去すると共に、トナーの記録画像の形成画像の画像品質と搬送品質を長期に渡って低下させることなく、折れ等や薄い、又は、腰の弱いシート材でも搬送不良の発生を防止する低コストで高速で高品質の形成画像を形成するシート搬送装置０を具備する画像形成装置１０を提供することができるようになった。
【００１９】
図７において、原稿のシート材を案内部材で案内して原稿画像を読み取る原稿画像読取装置２０は、原稿のシートを載置する原稿載置手段２１と、原稿載置手段２１に載置された原稿束のシートを一枚毎に分離する原稿分離手段２２と、原稿分離手段２２で一枚毎に分離された原稿のシートの原稿画像を読み取る原稿画像読取部２３に搬送する原稿のシートを案内部材で案内して搬送する請求項１乃至１７の何れか一項に記載のシート搬送装置０と、シート搬送装置０で原稿画像読取部２３に搬送される原稿のシートの原稿画像を読み取る原稿画像読取手段２４とからなり、簡単な構成で、搬送する原稿のシートに付着している紙粉等の付着物（Ｘ）を、より効果的に除去すると共に、読取画像の画像品質、搬送品質を長期に渡って低下させることなく、折れ等や薄い、又は、腰の弱いシート材でも搬送不良の発生を防止して低コストである。
原稿画像読取手段２４は、光源２４ａ、ミラー２４ｂ、ミラー２４ｃ、ミラー２４ｄ、結像レンズ２４ｅ、ＣＣＤ等のイメージセンサ２４ｆ等から構成されている。
そして、上面の原稿画像読取部２３に、コンタクトガラス２３ａが配置されている。
他方、上方から搬送する原稿のシートをセットする原稿載置手段２１の原稿セット台と、原稿載置手段２１の原稿セット台にセットされた搬送する原稿のシートを一枚ずつに分離して繰り出す原稿分離手段２２の給紙分離ローラと、原稿分離手段２２の給紙分離ローラが繰り出した搬送する原稿のシートを反転して、原稿画像読取部２３のコンタクトガラス２３ａへと搬送するシート搬送装置０とからなる。
原稿分離手段２２の給紙分離ローラが繰り出した搬送する原稿のシートを反転して、原稿画像読取部２３のコンタクトガラス２３ａへと導き、案内して搬送するシート搬送装置０では、シート案内搬送手段１の上側シートガイド１ａと下側シートガイド１ｂとで搬送路を形成している。
シート案内搬送手段１の上側シートガイド１ａと下側シートガイド１ｂは、原稿画像読取部２３のコンタクトガラス２３ａに対向して配置され、図示しない側板で両側を支持するようになっている。
従って、簡単な構成で、搬送する原稿のシートに付着している紙粉等の付着物（Ｘ）を、より効果的に除去すると共に、読取画像の画像品質、搬送品質を長期に渡って低下させることなく、折れ等や薄い、又は、腰の弱いシート材でも搬送不良の発生を防止する低コストのシート搬送装置０を具備する原稿画像読取装置２０を提供することができるようになった。
【００２０】
図８において、記録画像を形成した後の被記録媒体のシート材の後処理を行う被記録媒体後処理装置３０は、記録画像を形成した後に後処理を行う搬送する被記録媒体のシートを導入する導入口３１と、導入口３１から導入した搬送する被記録媒体のシートに後処理を行う後処理手段３２と、後処理手段３２で記録画像を形成した後に後処理を行う搬送する被記録媒体のシートを案内部材で案内して搬送する請求項１乃至１７の何れか一項に記載のシート搬送装置０とからなり、簡単な構成で、搬送する被記録媒体のシートに付着している紙粉等の付着物（Ｘ）をより効果的に除去すると共に、搬送品質、搬送する被記録媒体のシートの後処理等を長期に渡って低下させることなく、折れ等や薄い、又は、腰の弱いシート材でも搬送不良の発生を防止して低コストである。
導入口３１から導入した搬送する被記録媒体のシートは、後処理手段３２の穿孔装置３２ａからシート搬送装置０に搬送された後に、後処理搬送経路３３と後処理搬送経路３３に配置された搬送ローラや分岐爪等によって、後処理手段３２のステイプル装置３２ｂや中間トレイ３２ｃ等に搬送されて、後処理を行った場合、又は、後処理を行わなかった場合にも固定トレイ３４、又は、移動トレイ３５に排出されて収納されるようになっている。
後処理手段３２の穿孔装置３２ａから繰り出した搬送する被記録媒体のシートを、後処理搬送経路３３へと導き、案内して搬送するシート搬送装置０では、シート案内搬送手段１の上側シートガイド１ａと下側シートガイド１ｂとでその搬送路を形成している。
シート案内搬送手段１の上側シートガイド１ａと下側シートガイド１ｂは、後処理搬送経路３３に対向して配置され、図示しない側板で両側を支持するようになっている。
従って、簡単な構成で、搬送する被記録媒体のシートに付着している紙粉等の付着物（Ｘ）を、より効果的に除去すると共に、搬送品質と搬送する被記録媒体のシートの後処理を長期に渡って低下させることなく、折れ等や薄い、又は、腰の弱いシート材でも搬送不良の発生を防止する低コストのシート搬送装置０を具備する被記録媒体後処理装置３０を提供することができるようになった。
【図面の簡単な説明】
【００２１】
【図１】本発明の実施の形態例を示すシート搬送装置を説明する説明図。
【図２】本発明の実施の形態例を示すシート搬送装置の主要部の状態を説明する説明図。
【図３】本発明の実施の形態例を示すシート搬送装置の概略を説明する斜視図。
【図４】本発明の実施の形態例を示すシート搬送装置の他の主要部を説明する説明図。
【図５】本発明の実施の形態例を示すシート搬送装置を具備する画像形成装置を説明する説明図。
【図６】本発明の実施の形態例を示すシート搬送装置を具備する画像形成装置の主要部を説明する拡大図。
【図７】本発明の実施の形態例を示すシート搬送装置を具備する原稿画像読取装置を説明する説明図。
【図８】本発明の実施の形態例を示すシート搬送装置を具備する被記録媒体後処理装置を説明する説明図。
【符号の説明】
【００２２】
０  シート搬送装置
１  シート案内搬送手段、
１ａ  上側シートガイド、
１ｂ  下側シートガイド、
１ｃ  曲げ部、
１ｄ  シート上向けガイ部、
１ｅ  付着物ガイド部
２  開口部、
２ａ  上側開口部、
２ｂ  下側開口部
３  シート搬送手段、
３ａ  上流側シート搬送ローラ、
３ｂ  下流側シート搬送ローラ
４  シート検知手段
５  付着物除去手段、
５ａ  弾性部材
６  付着物収容部、
６ａ  付着物収容器
１０  画像形成装置
１１  画像形成部、
１１ａ  像担持体、
１１ｂ  帯電器、
１１ｃ  画像書き込み手段、
１１ｄ  現像器、
１１ｅ  転写器、
１１ｆ  レジストローラ、
１１ｇ  定着器、
１１ｈ  排紙ローラ、
１１ｉ  クリーニング部材
１２  被記録媒体供給装置
１３  大量被記録媒体供給装置
２０  原稿画像読取装置
２１  原稿載置手段
２２  原稿分離手段
２３  原稿画像読取部、
２３ａ  コンタクトガラス
２４  原稿画像読取手段、
２４ａ  光源、
２４ｂ  ミラー、
２４ｃ  ミラー、
２４ｄ  ミラー、
２４ｅ  結像レンズ、
２４ｆ  イメージセンサ
３０  被記録体後処理装置
３１  導入口
３２  後処理手段、
３２ａ  穿孔装置、
３２ｂ  ステイプル装置、
３２ｃ  中間トレイ
３３  後処理搬送経路
３４  固定トレイ
３５  移動トレイ
【図１】
2006168837.tif 000003
【図２】
2006168837.tif 000004
【図３】
2006168837.tif 000005
【図４】
2006168837.tif 000006
【図５】
2006168837.tif 000007
【図６】
2006168837.tif 000008
【図７】
2006168837.tif 000009
【図８】
2006168837.tif 000010